(57)【特許請求の範囲】
【請求項１】
上階の床が外壁より外側に延出され、この延出した延出床部の先端部に張出外壁が固定されてなる張出外壁の固定構造であって、
前記延出床部の先端面には下半胴差しが固定されており、前記張出外壁の裏面には、この張出外壁の下端部より所定寸法だけ上方位置に上半胴差しが固定されており、
前記下半胴差しに前記上半胴差しが設置されており、この上半胴差しが前記下半胴差しと前記延出床部とのうちの少なくとも何れか一方に固定されていることを特徴とする張出外壁の固定構造。
【請求項２】
請求項１に記載の張出外壁の固定構造において、
前記張出外壁は木質の壁パネルと、この壁パネルの表面に予め取り付けけられた外装材とを備えていることを特徴とする張出外壁の固定構造。
【請求項３】
請求項１または２に記載の張出外壁の固定構造において、
前記延出床部の側端部には、胴差しが固定されており、この胴差しの上面に側壁が固定され、下面に垂れ壁が固定されており、
前記張出外壁のうち、前記上半胴差しより上部が前記側壁に接合され、下部が前記垂れ壁に接合されていることを特徴とする張出外壁の固定構造。
【請求項４】
請求項１〜３のいずれか一項に記載の張出外壁の固定構造において、
前記上階の床は木質の床パネルによって構成されており、この床パネルの先端面に前記下半胴差しが予め固定されていることを特徴とする張出外壁の固定構造。
【請求項５】
請求項４に記載の張出外壁の固定構造において、
前記上階の床は、複数の床パネルを接合することによって構成されており、現場で床パネルどうしを接合する接合部位においては、前記下半胴差しが予め固定されておらず、現場で床パネルどうしを接合した後に、前記接合部位に現場付け下半胴差しが固定されていることを特徴とする張出外壁の固定構造。 
【発明の詳細な説明】
【技術分野】
【０００１】
本発明は、出窓の床、はね出しバルコニーの床等の先端部に固定される張出外壁の固定構造に関する。
【背景技術】
【０００２】
上階の床が外壁より外側に延出され、この延出した延出床部の先端部に張出外壁が固定されてなる張出外壁の固定構造の一例として特許文献１に記載のものが知れられている。
この特許文献１に記載の張出外壁の固定構造では、バルコニー床の基端部が建物内の壁パネルやまぐさ等の上面に固定されたうえで、バルコニー床が外壁より外側に延出され、この延出した延出床部の先端部上面に手摺壁（張出外壁）が固定され、先端部下面に垂れ壁が固定されている。このような垂れ壁は構造壁ではないが、該垂れ壁の下方に玄関がある場合等に、該垂れ壁の下端部に軒天井を取り付けるものである。
【特許文献１】特開２００４−１００３２１号公報
【発明の開示】
【発明が解決しようとする課題】
【０００３】
ところで、壁、床、屋根等のような構成部材を予め工場においてパネルとして製造し、これらのパネルを現場で組み立てることによって住宅を構築する、いわゆるパネル工法においては、さらに工業化が進んでおり、工場等によって壁に外装材を予め取り付けておき、現場での外装材の取り付けを省略できるようになっている。
しかし、上記のような張出外壁の固定構造では、張出外壁全体に工場等で予め外装材を取り付けておくのは困難であった。
すなわち、張出外壁を構成する手摺壁はバルコニー床の延出床部の先端部上面に固定され、垂れ壁は先端部下面に固定されるので、延出床部の先端面に、別途外装材等を現場で取り付ける必要がある。
しかも、この外装材と、手摺壁や垂れ壁に取り付けられる外装材との接合部においては防水施行を行う必要があるので、手摺壁や垂れ壁の全面に予め外装材を取り付けておくことは困難であり、手摺壁の下端部や垂れ壁の上端部において、外装材を取り付けない領域を設けておき、この領域には現場で外装材を取り付けるとともに、この外装材と延出床部の先端面に取り付ける外装材との防水施行を行っていた。
【０００４】
本発明は上記事情に鑑みてなされたもので、張出外壁の表面全体に工場等において予め外装材を取り付けておくことができる張出外壁の固定構造を提供することを課題としている。
【課題を解決するための手段】
【０００５】
上記課題を解決するために、請求項１に記載の発明は、例えば図１および図２に示すように、上階の床１０が外壁９より外側に延出され、この延出した延出床部１０ａの先端部に張出外壁１３が固定されてなる張出外壁の固定構造であって、
前記延出床部１０ａの先端面には下半胴差し１２が固定されており、前記張出外壁１３の裏面には、この張出外壁１３の下端部より所定寸法だけ上方位置に上半胴差し１７が固定されており、
前記下半胴差し１２に前記上半胴差し１７が設置されており、この上半胴差し１７が前記下半胴差し１２と前記延出床部１０ａとのうちの少なくとも何れか一方に固定されていることを特徴とする。
【０００６】
請求項１に記載の発明によれば、張出外壁１３の裏面にこの張出外壁１３の下端部より所定寸法だけ上方位置に上半胴差し１７が固定され、この上半胴差し１７が延出床部１０ａの先端面に固定された下半胴差し１２に設置され、この下半胴差し１２と前記延出床部１０ａとのうちの少なくとも何れか一方に固定されているので、張出外壁１３を確実に延出床部１０ａの先端部に固定できる。したがって、張出外壁１３の表面全体に、予め工場等において外装材１６を取り付けておくことができる。
また、上半胴差し１７が下半胴差し１２に設置されるので、張出外壁１３の延出床部１０ａに対する上下方向の位置決めを容易に行える。
【０００７】
請求項２に記載の発明は、請求項１に記載の張出外壁の固定構造において、
前記張出外壁１３は木質の壁パネル１４と、この壁パネル１４の表面に予め取り付けられた外装材１６とを備えていることを特徴とする。
【０００８】
請求項２に記載の発明によれば、張出外壁１３が壁パネル１４と外装材１６とによって構成されているので、壁パネル１４の表面に、予め工場等において外装材１６を取り付けておくことができる。
【０００９】
請求項３に記載の発明は、請求項１または２に記載の張出外壁の固定構造において、
前記延出床部１０ａの側端部には、胴差し２０が固定されており、この胴差し２０の上面に側壁２１が固定され、下面に垂れ壁２４が固定されており、
前記張出外壁１３のうち、前記上半胴差し１７より上部が前記側壁２１に接合され、下部が前記垂れ壁２４に接合されていることを特徴とする。
【００１０】
請求項３に記載の発明によれば、延出床部１０ａの側端部に固定された胴差し２０の上面に側壁２１が固定され、下面に垂れ壁２４が固定され、さらに張出外壁１３のうち、上半胴差し１７より上部が側壁２１に接合され、下部が垂れ壁２４に接合されているので、側壁２１および垂れ壁２４を確実に張出外壁１３に固定できる。逆に言えば、張出外壁１３を延出床部１０ａ、側壁２１、垂れ壁２４にできるので、張出外壁１３の固定強度が向上する。
【００１１】
請求項４に記載の発明は、請求項１〜３のいずれか一項に記載の張出外壁の固定構造において、
前記上階の床１０は木質の床パネル１１によって構成されており、この床パネル１１の先端面に前記下半胴差し１２が予め固定されていることを特徴とする。
【００１２】
請求項４に記載の発明によれば、床パネル１１の先端面に下半胴差し１２が予め固定されているので、現場では床パネル１１を設置することによって上階床１０を形成できるとともに、延出床部１０ａの先端面への現場での下半胴差し１２の固定作業を省略できる。
【００１３】
請求項５に記載の発明は、例えば図３に示すように、請求項４に記載の張出外壁の固定構造において、
前記上階の床１０は、複数の床パネル１１を接合することによって構成されており、現場で床パネル１１，１１どうしを接合する接合部位Ｓにおいては、前記下半胴差しが予め固定されておらず、現場で床パネル１１，１１どうしを接合した後に、前記接合部位Ｓに現場付け下半胴差し２５が固定されていることを特徴とする。
【００１４】
請求項５に記載の発明によれば、現場で床パネル１１，１１どうしを接合する接合部位Ｓにおいては、現場で床パネル１１，１１どうしを接合した後に、前記接合部位Ｓに現場付け下半胴差し２５が固定されているので、延出床部１０ａの幅が広い場合でも下半胴差し１７の殆どを工場等で予め固定できるので、現場での下半胴差し１７の固定作業を極力省略できる。
【発明の効果】
【００１５】
本発明によれば、延出床部の先端面には下半胴差しが固定されており、張出外壁の裏面には、この張出外壁の下端部より所定寸法だけ上方位置に上半胴差しが固定されており、下半胴差しに前記上半胴差しが設置されており、この上半胴差しが下半胴差しと延出床部とのうちの少なくとも何れか一方に固定されているので、張出外壁を確実に延出床部の先端部に固定できる。したがって、張出外壁の表面全体に、予め工場等において外装材を取り付けておくことができる。
また、上半胴差しが下半胴差しに設置されるので、張出外壁の延出床部に対する上下方向の位置決めを容易に行える。
【発明を実施するための最良の形態】
【００１６】
以下図面を参照して本発明の実施の形態について説明する。
図１は本発明に係る張出外壁の固定構造の一例を示す斜視図である。この図１に示すように、２階（上階）の床１０は床パネル１１を複数敷き込むことによって構成されている。床パネル１１は、図２に示すように、框材１１ａを縦横に組立ててなる矩形枠内に補強桟材を縦横に組み込み、さらに、矩形枠の上面に合板等からなる面材１１ｂを貼り付けて形成されたものである。
このような床パネル１１は１階の壁パネルの上端部に設置されるが、例えば図１に示すように、２階の床１０を構成する複数の床パネル１１・・・のうち２枚の床パネル１１，１１は２階の外壁９より外側に延出され、この延出した部分が延出床部１０ａとされている。
【００１７】
前記延出床部１０ａの先端面のうち下半分の面には、図１および図２に示すように、下半胴差し１２が固定されている。この下半胴差し１２は断面矩形状の角材によって形成されたものであり、延出床部１０ａの幅方向に沿って固定されている。
張出外壁１３は延出床部１０ａの先端部に固定されるものであり、２枚の木質の壁パネル１４，１４を備えている。該壁パネル１４，１４の表面には、横胴縁１５を介して外装材１６が取り付けられている。この外装材１６は予め工場等において壁パネル１４，１４の表面に取り付けられている。
壁パネル１４は框材１４ａを縦横に組立ててなる矩形枠内に補強桟材を縦横に組み込み、さらに、矩形枠の両面に合板等からなる面材１４ｂを貼り付けて形成されたものである。
【００１８】
また、張出外壁１３の裏面、すなわち壁パネル１４，１４の裏面には、張出外壁１３の下端部より所定寸法だけ上方位置に上半胴差し１７が固定されており、この上半胴差し１７は、図２に示すように、下半胴差し１２の上面に設置されている。上半胴差し１７と下半胴差し１２とは断面形状、長さが等しくなっており、下半胴差し１２上に上半胴差し１７を設置した状態において、上半胴差し１７の上面は床パネル１１の上面と面一になっている。
そして、上半胴差し１７は下半胴差し１２に設置されたうえで、スクリュー釘１８や引き寄せビス１９によって延出床部１０ａに固定されている。すなわち、スクリュー釘１８は床パネル１１の上面から面材１１ｂ、框材１１ａを通して上半胴差し１７に斜めに打ち込まれており、引き寄せビス１９は框材１１ａを通して上半胴差し１７に水平にねじ込まれている。また、上半胴差し１７と、下半胴差し１２および框材１１ａとの接合面には接着剤によっても接着されている。
なお、上半胴差し１７から下半胴差し１２に向けて垂直にスクリュー釘を打ち込んでもよい。
このようにして、張出外壁１３は上半胴差し１７を介して延出床部１０ａの先端部に強固に固定されている。
【００１９】
また、図１に示すように、前記延出床部１０ａの両側端部には、胴差し２０が固定されている。この胴差し２０は、前記半胴差し１２，１７と断面形状が等しくなっており、延出床部１０ａより前方に突出している。
胴差し２０，２０の上面には、それぞれ側壁２１が固定されており、これら側壁２１，２１の上端部は連結材２２によって連結されている。側壁２１，２１は出窓の側壁を構成する壁であり、窓を取り付けるための開口部２３，２３が形成されている。なお、側壁２１の表面（外面）には外装材が取り付けられている。
胴差し２０，２０の下面には、それぞれ垂れ壁２４が固定されており、これら垂れ壁２４，２４の後端面は１階の外壁に固定されている。
そして、前記張出外壁１３のうち、上半胴差し１７より上部は前記側壁２０に接合され、下部は前記垂れ壁２４に接合されている。張出外壁１３のうち上半胴差し１７より下部の壁の下端部と、垂れ壁２４の下端部とには軒天井（図示略）が水平に固定されている。
【００２０】
上記のような構成の張出外壁の固定構造を施行するには、１階の壁パネル上に２階の床を構成する床パネル１１を敷き込む。この場合、２枚の床パネル１１，１１を２階の外壁９より前方に延出するようにして敷き込む。
また、２階の外壁から突出する延出床部１０ａの側端部には、それぞれ胴差し２０，２０が固定されているので、この胴差し２０，２０の上面に側壁２１，２１を固定するとともに、下面に垂れ壁２４，２４を固定する。なお、延出床部１０ａの先端面には、工場等において予め下半胴差し１２が固定されている。
【００２１】
次に、工場等において予め裏面に上半胴差し１７が固定された張出外壁１３を前記側壁２１，２１、垂れ壁２４，２４側に近付けて、上半胴差し１７を前記下半胴差し１２の上面に設置する（図２参照）。このとき、張出外壁１３の側端面は、前記側壁２１，２１の先端部内面に当接する。
そして、スクリュー釘１８を床パネル１１の上面から面材１１ｂ、框材１１ａを通して上半胴差し１７に斜めに打ち込むとともに、引き寄せビス１９を框材１１ａを通して上半胴差し１７に水平にねじ込む。また、上半胴差し１７と、下半胴差し１２および框材１１ａとの接合面を接着剤によっても接着する。
最後に、張出外壁１３のうち、上半胴差し１７より上部を側壁２０に接合し、下部を垂れ壁２４に接合する。なお、張出外壁１３のうち上半胴差し１７より下部の壁の下端部と、垂れ壁２４の下端部とには軒天井を水平に固定する。
【００２２】
本実施の形態によれば、張出外壁１３の裏面にこの張出外壁１３の下端部より所定寸法だけ上方位置に上半胴差し１７が固定され、この上半胴差し１７が延出床部１０ａの先端面に固定された下半胴差し１７に設置され、この下半胴差し１７が延出床部１０ａに固定されているので、張出外壁１３を確実に延出床部１０ａの先端部に固定できる。したがって、張出外壁１３の表面全体に、予め工場等において外装材１６を取り付けておくことができる。
また、上半胴差し１７が下半胴差し１２に設置されるので、張出外壁１３の延出床部１０ａに対する上下方向の位置決めを容易に行える。
【００２３】
さらに、延出床部１０ａの側端部に固定された胴差し２０の上面に側壁２１が固定され、下面に垂れ壁２４が固定され、さらに張出外壁１３のうち、上半胴差し１７より上部が側壁２１に接合され、下部が垂れ壁２４に接合されているので、側壁２１および垂れ壁２４を確実に張出外壁１３に固定できる。逆に言えば、張出外壁１３を延出床部１０ａ、側壁２１、垂れ壁２４にできるので、張出外壁１３の固定強度が向上する。
また、上階の床１０は木質の床パネル１１によって構成されており、この床パネル１１の先端面に下半胴差し１７が予め固定されているので、現場では床パネル１１を設置することによって上階床１０を形成できるとともに、延出床部１０ａの先端面への現場での下半胴差し１７の固定作業を省略できる。
【００２４】
なお、本実施の形態では、図１に示すように、延出床部１０ａを２枚の床パネル１１，１１によって構成したが、出窓の床の幅を広くする場合に、４枚の床パネル１１・・・によって構成する場合がある。
この場合、４枚の床パネル１１・・・は接合したままの状態では大きすぎて、トラック等の荷台に入らないため、２枚の床パネル１１，１１を接合したものを２組現場に搬送することになる。したがって、４枚の床パネル１１・・・の先端面全てに予め下半胴差し１７を固定しておくのは不可能であるため、図３に示すように、現場で床パネル１１，１１どうしを接合する接合部位Ｓにおいては、下半胴差しが予め固定されておらず、現場で床パネル１１，１１どうしを接合した後に、接合部位Ｓに現場付け下半胴差し２５を固定する。
【００２５】
このようにすれば、現場で床パネル１１，１１どうしを接合する接合部位Ｓにおいては現場で床パネル１１，１１どうしを接合した後に、接合部位Ｓに現場付け下半胴差し２５を固定するので、延出床部１０ａの幅が広い場合でも下半胴差し１７の殆どを工場等で予め固定できるので、現場での下半胴差し１７の固定作業を極力省略できる。
【００２６】
また、本実施の形態では、本発明に係る張出外壁の固定構造を出窓の外壁に適用した場合を例にとって説明したが、本発明は出窓以外としては、例えば、はね出しバルコニーの手摺壁やフラワーボックスの外壁等に適用してもよい。
【図面の簡単な説明】
【００２７】
【図１】本発明に係る張出外壁の固定構造の一例を示すもので、その斜視図である。
【図２】同、（Ａ）は張出外壁を延出床部に近付けている状態を示す断面図、（Ｂ）は張出外壁の下半胴差しを延出床部の上半胴差しに設置した状態を示す断面図である。
【図３】同、床パネルの接合部位に現場付け下半胴差しを固定している状態を示す斜視図である。
【符号の説明】
【００２８】
９  外壁
１０  上階の床
１０ａ  延出床部
１１  床パネル
１２  下半胴差し
１３  張出外壁
１４  壁パネル
１６  外装材
１７  下半胴差し
２０  胴差し
２１  側壁
２４  垂れ壁
２５  現場付け下半胴差し
【図１】
0004990706.tif 000002
【図２】
0004990706.tif 000003
【図３】
0004990706.tif 000004